(57)【特許請求の範囲】
【請求項１】
水、液状の芳香物質、液状の消臭物質又は液状の殺虫物質が含浸される多孔質の拡散部材と、該拡散部材に含浸された物質の拡散を促進させる拡散促進器とを有し、
前記拡散促進器は前記拡散部材の内部に圧縮空気を供給する空気供給ポンプと該拡散部材に収容され発光により該拡散部材を加熱又は殺菌する発光器で構成した
ことを特徴とする拡散器。
【請求項２】
前記空気供給ポンプをオンオフ制御する切換スイッチを有する
ことを特徴とする請求項１記載の拡散器。
【請求項３】
前記拡散部材は該拡散部材の細孔の流通断面積よりも大きな流通断面積となっている細長穴を有する
ことを特徴とする請求項１又は請求項２記載の拡散器。
【請求項４】
自動車のシガレットライター用のソケットに着脱自在に接続するジャックを有し、該ジャックを介して前記拡散促進器の電力を供給する
ことを特徴とする請求項１乃至請求項３の何れか１項記載の拡散器。
【発明の詳細な説明】
【０００１】
【発明の属する技術分野】
本発明は、加湿、芳香、消臭或いは殺虫に好適な拡散器に関するものである。
【０００２】
【従来の技術】
従来、この種の拡散器、例えば室内芳香を行うものとして香ランプ或いは香皿といわれるものが一般に使用されている。
【０００３】
この香ランプとは、加熱源として白熱ランプを使用し、この白熱ランプに液状の芳香物質を滴下し、ランプの発熱により芳香物質を室内に拡散するものである。ここで使用される液状の芳香物質とは、植物、例えばバラの花びらやレモンの果皮などを蒸留して生成された精油或いはこの精油を水に溶かしたものをいい、いわゆるアロマオイルといわれているものである。
【０００４】
香皿とは、水を入れた小皿に前記液状の芳香物質を数滴垂らし、これをストーブ等の加熱源に載置し、芳香物質を室内に拡散するものである。
【０００５】
【発明が解決しようとする課題】
しかしながら、香ランプ及び香皿の何れも芳香物質の大部分が周囲の空気に触れているため、周囲の空気に浮遊する塵や細菌類等が芳香物質に付着し易く、これにより、芳香物質が変質し易くなるという問題点を有していた。
【０００６】
また、香ランプ及び香皿で前述の如く単に芳香物質を加熱するのみであるため、芳香物質は自然拡散で室内に広がり、室内全体に拡散するまでに長時間かかるという問題点を有していた。
【０００７】
本発明の目的は前記従来の問題点に鑑み、芳香物質等の変質を防止し、また、短時間で室内全体を芳香等できる拡散器を提供することにある。
【０００９】
【課題を解決するための手段】
本発明は前記課題を解決するため、本発明に係る拡散器は、水、液状の芳香物質、液状の消臭物質又は液状の殺虫物質が含浸される多孔質の拡散部材と、拡散部材に含浸された物質の拡散を促進させる拡散促進器とを有し、拡散促進器は拡散部材の内部に圧縮空気を供給する空気供給ポンプと拡散部材に収容され発光により該拡散部材を加熱又は殺菌する発光器で構成している。
【００１０】
【発明の実施の形態】
図１乃至図５は本発明に係る拡散器の第１の実施形態を示すもので、図１は拡散器の正面断面図、図２は拡散器の一部切欠き側面図、図３は拡散器の平面図、図４は拡散部材及びキャップの組み付け図、図５は拡散器を通る空気の流れを示す断面図である。
【００１１】
この拡散器１は駆動機器を内部に搭載したケーシング２を有している。このケーシング２は上下開口のケーシング本体２１を有し、このケーシング本体２１の上下を蓋２２，２３で閉塞するとともに、ケーシング本体２１の下部には、図２に示すように、内部に空気を取り入れる２個の空気穴２４，２５を穿設している。一方の空気穴２４は機器駆動用の電源スイッチ２６の操作穴としても機能し、また、他方の空気穴２５は外部電源接続用のプラグ２７の接続穴としても機能している。なお、このケーシング本体２１の径は６０ｍｍで２５０ｍｌ缶の缶飲料（缶ジュース、缶コーヒ等）とほぼ同様の大きさとなっているため、自動車の車内に装着され飲料ホルダ（図示しない）に保持できるものとなっている。
【００１２】
このように構成されたケーシング２内には空気供給装置、例えば空気供給ポンプ３１、内部電源であるバッテリ３２、空気供給ポンプ３１等の駆動制御及び電源の通電制御等を行う制御基板３３が搭載されている。この制御基板３３はネジ３４にて下蓋２３に連結支持され、更に、空気供給ポンプ３１及びバッテリ３２は防振性の支持脚３５を介して制御基板３３に支持されている。なお、このケーシング２の下蓋２３の下面には防振及び滑り止め用のゴムリング２３ａが填め込まれている。
【００１３】
この空気供給ポンプ３１の吸入口３１ａは、図１に示すように、マニホールド３６の吸入通路３６ａに圧入され、また、同じくこの吸入通路３６ａにはエアーフィルタ３７のフィルタソケット３７ａが圧入されている。これにより、ケーシング２内の空気がエアーフィルタ３７を通じて空気供給ポンプ３１に吸入される。
【００１４】
空気供給ポンプ３１の吐出口３１ｂは、図２に示すように、マニホールド３６の吐出通路３６ｂに圧入されている。上蓋２２はその上面に円形状の凹所２２ａを形成し、後述する液状の芳香物質７１の液だめ部分となっている。また、上蓋２２の中央には上下には互いに連通する筒状の突出部２２ｂ，２２ｃが形成されている。この上突出部２２ｂには球状の拡散部材４が着脱自在に圧入され、下突出部２２ｃにはマニホールド３６の吐出通路３６ｂが圧入されている。また、この上突出部２２ｂの上部には図２に示すようにスリット２２ｄが形成されており、このスリット２２ｄを通じて上突出部２２ｂ内に流れる空気が拡散部材４に流入するようになっている。
【００１５】
また、上突出部２２ｂの上部には、発光器、例えば白熱ランプ５が装着されている。この白熱ランプ５の発光により拡散部材４が４０℃程度に加熱されるとともに、この拡散部材４の細孔を通じて外に光りが漏れるようになっている。なお、この白熱ランプ５のリード線５１は図２に示すように、下突出部２２ｃ及び吐出通路３６ｂを通じてマニホールド３６の外に引き出され、制御基板３３に接続されている。また、このリード線５１の外への引き出し部分、即ち吐出通路３６ｂの端部には封止材３６ｃが埋め込まれ、外部への空気漏れを防止している。
【００１６】
この拡散部材４はその細孔の径が３０μｍ程度となっている多孔質部材（ポリエチレン製）にて形成され、拡散部材４に給送された空気を細孔を通じて外に吹き出すようになっている。また、この拡散部材４は上下に貫通する細長穴４１を有しており、その径が０．５ｍｍ〜０．８ｍｍ程度となっているため、拡散部材４の細孔と比較して空気抵抗が小さくなっている。更に、拡散部材４には上突出部２２ｂに填め込む填め込み穴４２が形成されており、この填め込み穴４２に細長穴４１が連通している。なお、前述したエアーフィルタ３７もこの拡散部材４と同様の多孔質部材で形成されている。
【００１７】
上蓋２２の上方には拡散部材４及び凹所２２ａを覆うように透明のキャップ６が着脱自在に填め込まれている。このキャップ６は略逆カップ状に形成され、その上部中央の吹き出し穴６１が着脱自在の栓６２により封止されている。
【００１８】
次に、本実施形態に係る拡散器１の使用方法を図４を参照して説明する。図４ではキャップ６及び拡散部材４が上蓋２２に装着されていない状態の拡散器１を例として掲げている。この拡散器１では、まず、拡散部材４の填め込み穴４２に白熱ランプ５が収容されるように上突出部２２ｂに圧入する。次いで、液状の芳香物質（アロマオイル）７１が入っている瓶７の蓋を開け、芳香物質７１を拡散部材４に向かって適量を滴下し、芳香物質７１を拡散部材４に含浸させる。なお、上蓋２２の凹所２２ａに芳香物質７１を注ぎ込み、拡散部材４に芳香物質７１を含浸させるようにしてもよい。また、芳香物質７１はアロマオイル（ペパーミント、ローズ・マリー等のエキスを含有する精油）に限るものではなく、液状の物質であれば何れの芳香物質でも使用できる。このような芳香物質７１の含浸作業の後、栓６２が外されたキャップ６を上蓋２２の上方から被せる。
【００１９】
このような準備が完了したときは、芳香を行う部屋、例えば一般家屋の居間、或いは、自動車内等に設置し、電源スイッチ２６をオンする。ここで、プラグ２７を通じて外部電源に接続されているときは外部電源から各機器５，３１に電力が供給され、一方、外部電源に接続されていないときはバッテリ３２から各機器５，３１に電力が供給される。この電力供給により空気供給ポンプ３１が駆動し、また、白熱ランプ５が発光する。
【００２０】
この空気供給ポンプ３１の駆動により、拡散器１の周囲の空気が空気穴２４，２５を通じてケーシング２内に流入し、この流入空気がエアーフィルタ３７で塵や埃が除去され、更にフィルタソケット３７ａ、吸入通路３６ａと順次通り空気供給ポンプ３１に吸入される。この吸入された空気は、空気供給ポンプ３１にて圧縮され、吐出通路３６ｂに吹き出される。
【００２１】
この吐出通路３６ｂに吹き出された空気は、図５の矢印に示すように、各突出部２２ｂ，２２ｃ、スリット２２ｄを通じて拡散部材４に流入する。ここで、拡散部材４は白熱ランプ５の発光で加熱されているため、拡散部材４に含浸された芳香物質７１が気化されたり、或いは、気化されやすい状態となっている。即ち、白熱ランプ５は芳香物質７１の気化、更には拡散を促進する働きを有する。また、空気供給ポンプ３１は拡散部材４に強制的に空気を供給し、これまた芳香物質７１を気化させ、更には気化した芳香物質７１を強制的に拡散させる働きを有する。
【００２２】
この両者の拡散促進器５，３１の機能により、拡散部材４に流入した空気に芳香物質７１が多量に混入し、この混入空気が拡散部材４の細孔及び細長穴４１を通じてキャップ６側に吹き出される。このキャップ６側に吹き出された混入空気は吹き出し穴６１を通じて拡散器１の外に吹き出され、部屋等に拡散される。
【００２３】
なお、拡散促進器５，３１等の駆動をタイマ制御するときは、例えば芳香が開始されてから２０分程度で芳香操作を一旦停止させるよう制御することもできる。
【００２４】
一方、拡散器１を使用しないときは電源スイッチ２６をオフし、図１及び図２に示すように、キャップ６の吹き出し穴６１を栓６２で封止しておけばよい。
【００２５】
本実施形態によれば、拡散部材４に含浸された芳香物質７１が白熱ランプ５により加熱され、更には空気供給ポンプ３１により強制的に室内等に供給されるため、短時間で室内全体を芳香することができる。
【００２６】
また、拡散部材４は細長穴４１を有しているため、拡散部材４に含浸された液状の芳香物質７１がこの細長穴４１を通る空気により強制的に霧吹き状態で吹き出され、拡散部材４内に芳香物質７１が残留することなく、これにより、拡散部材４における目詰まりを防止できる。また、拡散部材４の細孔に芳香物質７１が固化して目詰まりを起こしたとしても、流通断面積の大きい細長穴４１を通じて芳香物質７１が部屋等に供給される。
【００２７】
更に、本実施形態に係る拡散器１は、白熱ランプ５の光が拡散部材４の細孔及び細長穴４１を通じて外に漏れるため、拡散部材４全体が発光し、夜間においては室内装飾品としても機能する。
【００２８】
更にまた、空気の入口部分にはエアーフィルタ３７が装着され、また、空気の出口部分には拡散部材４が装着され、これら各部材３７，４が多孔質部材で形成されているため、空気供給ポンプ３１から発せられる駆動騒音がこれらの各部材３７，４で減衰され、これらの各部材３７，４が消音器としても機能している。
【００２９】
更にまた、拡散部材４が上突出部２２ｂに着脱自在となっているため、別種の芳香物質７１を使用するときは、この拡散部材４を新しいものに交換して別種の芳香物質７１を滴下すればよく、種々の芳香等を簡単に得ることができる。
【００３０】
更にまた、拡散部材４が多孔質部材で形成されているため、拡散部材４に含浸された芳香物質７１のうち周囲の空気と触れるのは、拡散部材４の表面部分のみで、周囲の空気に浮遊する塵や細菌類等が芳香物質７１全体に付着することがないため、芳香物質７１の変質が抑制される。
【００３１】
なお、この実施形態では液状の芳香物質７１を用いて室内芳香を行っているが、この芳香物質の代わりに液状の消臭物質を使用するときは、室内消臭を行うことができるし、また、液状の殺虫剤を拡散部材４に滴下するときは、室内殺虫を行うことができるし、更に拡散部材４に水のみを含浸させるときは、加湿器として使用することもできる。更にまた、キャップ６の吹き出し穴６１に図示しないゴムチューブを接続し、このゴムチューブを通じてサウナ、温泉宿の浴室、或いは、一般家庭用の浴室に芳香物質を導くようにしてもよい。更にまた、拡散器の不使用時に備え、キャップ６の吹き出し穴６１に栓６２を填め込んでいるが、この栓６２は必ずしも必要とするものではない。更にまた、拡散部材４内に装着されている白熱ランプ５に代えて図示しない紫外線ランプを装着するときは、この紫外線ランプから照射される紫外線により、拡散部材４に繁殖する細菌を死滅させることができるため、室内に細菌を拡散させることがない。
【００３２】
図６乃至図９は本発明に係る拡散器の第２の実施形態を示すもので、図６は拡散器の断面図、図７は拡散器の一部切欠き側面図、図８は白熱ランプの取付状態を示す断面図、図９は拡散器の電気接続状態を示す斜視図である。なお、前記第１の実施形態と共通の構成部分は同一の符号をもって説明する。
【００３３】
この第２の実施形態に係る拡散器１００と第１の実施形態に係る拡散器１との構造上の主な相違点を以下に説明する。第２の実施形態に係る拡散器１００には電源スイッチ２６とは別に空気供給ポンプ３１と白熱ランプ５とを駆動制御する切換スイッチ１０１を有している。この切換スイッチ１０１は図６に示すように下蓋２３を貫通して配置されているもので、切換スイッチ１０１により、空気供給ポンプ３１及び白熱ランプ５の両者に通電する運転と、白熱ランプ５にのみ通電して空気供給ポンプ３１を停止させる運転とをそれぞれ選択できるようになっている。
【００３４】
また、バッテリ３２及び空気供給ポンプ３１の保持手段として第２の実施形態では発泡ウレタンゴム等で形成された保持ブロック１０２を有している。この保持ブロック１０２は上下に貫通する空間１０３を有し、この空間１０３にバッテリ３２及び空気供給ポンプ３１を圧入してこれらの機器３１，３２を保持している。また、各機器３１，３２を保持した保持ブロック１０２をケーシング本体２１内に圧入している。
【００３５】
更に、前記第１の実施形態ではマニホールド３６でエアーフィルタ３７と空気供給ポンプ３１の吸入口３１ａとを接続し、また、同じくマニホールド３６で下突出部２２ｃと空気供給ポンプ３１の吐出口３１ｂとを接続しているが、第２の実施形態ではこれらの接続部材としてシリコーンゴム等で形成された可撓性のパイプ１０４を用いている。
【００３６】
更にまた、図６及び図８に示すように、円筒状の上突出部２２ｂ内には方形状のコネクタ１０５を介装するとともに、このコネクタ１０５に白熱ランプ５の端子を差し込んでいる。ここで、このコネクタ１０５と上突出部２２ｂの内壁面との間に隙間１０６ができ、この隙間１０６を通じて空気が流通するようになってる。
【００３７】
更にまた、図９に示すように、外部電源に接続するジャック１０７を用いている。このジャック１０７は自動車のシガレットライターと同一の外形寸法でかつその先端と先端側周側壁に端子１０９を有している。このようなジャック１０７の構造により、シガレットライター用のソケット１０８に着脱可能なものとなっている。
【００３８】
この第２の実施形態によれば、切換スイッチ１０１により白熱ランプ５及び空気供給ポンプ３１の両者に通電する運転を選択するときは、拡散部材４に含浸された芳香物質７１が多量にかつ短時間に車内全体に拡散される。また、一旦車内全体の芳香が終了したときは、切換スイッチ１０１で白熱ランプ５のみに通電する運転を選択し、少量の芳香で車内の芳香を継続するという運転を行うことができる。
【００３９】
また、拡散器１００を用いるときは、ソケット１０８にジャック１０７を差し込めば良く、車内芳香を非常に簡単にできる。なお、その他の構成は前記第１の実施形態とほぼ同様の構成となっている。
【００４０】
図１０は第２の実施形態に係る拡散器の変形例を示すものである。この変形例では拡散部材４の填め込み穴４２と上突出部２２ｂとの間に略円錐状のノズル１１０を介装している。このノズル１１０の先端には小孔１１０ａを形成し、この小孔１１０ａから拡散部材４の細長穴４１に向かって空気を吹き出すようになっている。
【００４１】
この拡散器により室内の加湿を行うときは、予め上蓋２２の凹所２２ａに水１１１を入れておく。この水１１１に浸された拡散部材４は毛細管現象で拡散部材４全体に水１１１が浸透する。しかる後、空気供給ポンプ３１を駆動するとき、実線矢印に示すように、ノズル１１０内に空気が流れ、これが小孔１１０ａ及び細長穴４１を通じて外に吹き出される。ここで、細長穴４１を通る空気の流速が速く、細長穴４１内が負圧になるため、拡散部材４内に含浸した水が細長穴４１に向かって吸引され、霧状になって外に吹き出される。これにより、室内の加湿が行われる。
【００４２】
本変形例に係る拡散器によれば、空気供給ポンプ３１から供給された空気はその大部分がノズル１１０及び細長穴４１に通るため、加湿に適した霧状の空気が多量に室内に供給される。
【００４３】
また、ノズル１１０の小孔１１０ａと細長穴４１との間隔を変更するとき、例えばこの間隔を広くするときは、細長穴４１内に流れる空気の流速が遅くなるため、細長穴４１側に吸引される水の量が少なくなり、一方、間隔を狭くするときは、細長穴４１内に流れる空気の流速が速くなり、細長穴４１側に吸引される水の量が多くなる。従って、この間隔を調整することにより、単位時間当たりの加湿量が調整される。
【００４４】
図１１は前記変形例に係る拡散器を改良した他の変形例を示すものである。この変形例に係る拡散器は、上蓋２２の凹所２２ａの内周面に着脱自在にゴム製の覆板１１２を填め込むとともに、この覆板１１２の中央には拡散部材４を填め込んでいる。また、この覆板１１２は凹所２２ａ及び拡散部材４に対して気密に填め込まれている。
【００４５】
この変形例によれば、拡散器を誤って転倒したときでも、凹所２２ａ内の水１１１が外に漏れることがない。
【００４６】
なお、この各変形例では上突出部２２ｂから白熱ランプ５及びコネクタ１０５を外したものとなっているが、この白熱ランプ５及びコネクタ１０５を上突出部２２ｂ内に配置するようにしてもよい。また、この白熱ランプ５及びコネクタ１０５を上突出部２２ｂ内に配置するときは、ノズル１１０を透明性部材で形成し、白熱ランプ５の光を拡散部材４に照射できるようにする。更に、前記各変形例では上蓋２２の凹所２２ａに加湿用の水１１１が貯留されているが、この水量が不足することを考慮し、この凹所２２ａに水を供給する図示しない水供給装置を設置するようにしてもよい。更にまた、この拡散器の周囲に図示しない水タンクを配置し、更に拡散部材４の一部を延在して水タンク内の水に浸し、水タンクの水を毛細管現象で汲み上げるようにしてもよい。更にまた、車内の加湿を行う際に、車内の湿度を検知する湿度検知器を設置し、この湿度検知器の検知湿度に基づき拡散器の加湿量を調整するようにしてもよい。
【００４７】
図１２は本発明に係る拡散器の第３の実施形態を示すものである。この第３の実施形態に係る拡散器２００は前記第２の実施形態で説明したジャックと同様に構成されたジャック２０１を有し、このジャック２０１に白熱ランプ５及び拡散部材４を取り付け、この拡散部材４を着脱自在のキャップ６で覆う構造となっている。なお、このジャック２０１は前記第１及び第２の実施形態とは異なり、空気供給ポンプ等は搭載していない。
【００４８】
この第３の実施形態では、ジャック２０１をシガレットライター用のソケット１０８に直接差し込めばよく、簡単に車内を芳香することができる。
【００４９】
図１３及び図１４(a)(b)(c)(d)は本発明に係る拡散器の第４の実施形態を示すものである。この拡散器３００は略卵型のケーシング３０１と、このケーシング３０１を固定する吸着体３０２と、このケースシング３０１に収納された拡散部材４と、液状の芳香物質７１が収納されたカートリッジ３０３とから構成されている。
【００５０】
このケーシング３０１はそれぞれ断面略Ｕ字状に形成された収納部３０４とキャップ部３０５とを環状の填め込み板３０６を介して上下に填め合わせて形成されたものである。また、収納部３０４及びキャップ部３０５は透明な部材で形成され、このケーシング３０１内に収納されている拡散部材４及びカートリッジ３０３が外から透視できるようになっている。更に、キャップ部３０５は填め込み板３０６に対して着脱自在となっており、このキャップ部３０５を外すことにより拡散部材４及びカートリッジ３０３を取り出せるようになっている。更にまた、キャップ部３０５の上端には吹き出し穴３０５ａが形成されケーシング３０１内の空気を外に拡散できるようにしている。更にまた、収納部３０４はその下端に固定用の吸着体３０２が取り付けられており、この吸着体３０２により車内のフロントパネルや居室内の机等に固定することができる。
【００５１】
填め込み板３０６の内側にはケーシング３０１内を上下に仕切る保持板３０７が填め込まれている。また、この保持板３０７の中央にはカートリッジ３０３が遊びをもって貫通する貫通穴３０７ａを有し、この貫通穴３０７ａに貫通するカートリッジ３０３を保持するようになっている。
【００５２】
この実施形態に係る拡散器３００の使用方法について図１４(a)(b)(c)(d)を参照して説明する。拡散器３００の使用前はカートリッジ３０３及び拡散部材４は図１４(a)に示すようにケーシング３０１に収納されている。そこで、まず、図１４(b)に示すようにキャップ部３０５をケーシング３０１から外して、ケーシング３０１に収納されているカートリッジ３０３及び拡散部材４を取り出す。なお、拡散部材４はカートリッジ３０３の尻側に填め込まれた状態でケーシング３０１に収納されている。次に、図１４(c)に示すように、カートリッジ３０３から拡散部材４を外すとともに、カートリッジ３０３から蓋体３０３ａを外す。そして、カートリッジ３０３の開口部分に拡散部材４の填め込み穴４２を合わせ、この拡散部材４をこの開口部分に填め込む。続いて、拡散部材４が填め込まれたカートリッジ３０３を上下に振り、カートリッジ３０３内の液状の芳香物質７１を拡散部材４に含浸させる。しかる後、図１４(d)に示すように、カートリッジ３０３をその尻側からケーシング３０１の収納部３０４に入れ、図１３に示すように、カートリッジ３０３を貫通穴３０７ａに貫通させる。最後にキャップ部３０５を填め込み板３０６に填め込み、車内のフロントパネル等に吸着体３０２を吸着させれば良い。
【００５３】
本実施形態によれば、前記各実施形態と同様に、拡散部材４が多孔質部材で形成されているため、芳香物質７１の変質が抑制される。
【００５４】
また、ケーシング３０１に拡散部材４はもとより芳香物質７１を収容するカートリッジ３０３も収納されており、使い勝手のよいものとなっている。
【００５５】
なお、この芳香物質７１の代わりに、水、液状の消臭物質或いは液状の殺虫物質をカートリッジ３０３に収納するようにしてもよいことは勿論である。また、この拡散部材４の中に図示しない白熱ランプ及び小型電池を埋め込んで、白熱ランプから発せられる熱により芳香物質等を気化するようにしてもよい。
【００５６】
【発明の効果】
以上説明したように、本発明によれば、拡散部材が多孔質部材で形成されているため、拡散部材に含浸された芳香物質等のうち周囲の空気と触れるのは、拡散部材の表面に付着している部分のみで、周囲の空気に浮遊する塵や細菌類等が芳香物質等全体に付着しないため、芳香物質等の変質が抑制される。
【図面の簡単な説明】
【図１】第１の実施形態に係る拡散器の正面断面図
【図２】第１の実施形態に係る拡散器の一部切欠き側面図
【図３】第１の実施形態に係る拡散器の平面図
【図４】第１の実施形態に係る拡散部材及びキャップの組み付け図
【図５】第１の実施形態に係る拡散器を通る空気の流れを示す断面図
【図６】第２の実施形態に係る拡散器の正面断面図
【図７】第２の実施形態に係る拡散器の一部切欠き側面図
【図８】第２の実施形態に係る拡散器の白熱ランプの取付状態を示す断面図
【図９】第２の実施形態に係る拡散器の電気接続状態を示す斜視図
【図１０】第２の実施形態に係る拡散器の変形例を示す要部断面図
【図１１】第２の実施形態に係る拡散器の他の変形例を示す要部断面図
【図１２】第３の実施形態に係る拡散器の一部切欠き側面図
【図１３】第４の実施形態に係る拡散器の正面断面図
【図１４】第４の実施形態に係る拡散器の使用方法の説明図
【符号の説明】
１，１００，２００，３００…拡散器、４…拡散部材、５…白熱ランプ、３１…空気供給ポンプ、７１…芳香物質、１０１…切換スイッチ、１０７，２０１…ジャック、１０８…ソケット、３０３…カートリッジ。
【図１】
0003978275.tif 000002
【図２】
0003978275.tif 000003
【図３】
0003978275.tif 000004
【図４】
0003978275.tif 000005
【図５】
0003978275.tif 000006
【図６】
0003978275.tif 000007
【図７】
0003978275.tif 000008
【図８】
0003978275.tif 000009
【図９】
0003978275.tif 000010
【図１０】
0003978275.tif 000011
【図１１】
0003978275.tif 000012
【図１２】
0003978275.tif 000013
【図１３】
0003978275.tif 000014
【図１４】
0003978275.tif 000015